(57)【要約】【課題】  自分の目線より高い位置の収納空間の奥に収納されている収納物を確認するにあたり、確認のために行う動作の負担を軽減することができて、明確に確認できる収納キャビネットを提供する。【解決手段】  物が収納される収納空間１内の上方に、鏡面材２を設けた収納キャビネットであって、鏡面材２が収納空間１の奥側が下に、手前側が上になるように傾斜して配置されていて、鏡面材２の少なくとも下面が収納空間１内の収納物３を写す鏡面とされていることを特徴とする収納キャビネット。【選択図】  図１
2005111111.tif 000002
【特許請求の範囲】
【請求項１】
物が収納される収納空間内の上方に、鏡面材を配置した収納キャビネットであって、
前記鏡面材が収納空間の奥側が下に、手前側が上になるように傾斜して配置されていて、
前記鏡面材の少なくとも下面が収納空間内の収納物を写す鏡面とされていることを特徴とする収納キャビネット。
【請求項２】
前記鏡面材を傾斜して配置する支持部材が設けられていて、
前記支持部材が、前記鏡面材の傾斜角度を所望の位置に固定する傾斜角度調節機構を有していることを特徴とする請求項１記載の収納キャビネット。
【請求項３】
収納キャビネットが扉を備え、
前記鏡面材が収納空間内の上方において、略水平な位置から、収納空間の奥側が下に手前側が上になるように傾斜した位置まで移動するように支持されており、
前記扉には収納空間側に突き出した凸状部材が設けられていて、
前記扉を閉めることにより前記凸状部材が前記鏡面材を押し上げて、前記鏡面材が略水平な位置で固定されて、
前記扉を開けることによって前記鏡面材が収納空間の奥側が下に手前側が上になるように傾斜した位置で固定される請求項１又は２記載の収納キャビネット。
【発明の詳細な説明】
【技術分野】
【０００１】
本発明は収納キャビネットに関するものである。
【背景技術】
【０００２】
従来、洗面化粧台などの収納キャビネットにおいて、収納キャビネットの棚板が自分の目線より高い位置の場合、下方側からは収納キャビネットの収納空間の奥までは視線が届きにくいため、奥の方に物が収納されていない隙間が生じてしまって、収納キャビネットが収納空間として有効に利用されない場合が多くある。
【０００３】
そこで、収納キャビネット内の収納物を確認し易くするために、（１）吊り戸棚等においては、外箱としての収納キャビネット内に収納ボックスとしての内箱を可動式アームにより連結し、内箱を前面に引き下げることにより収納空間の手前で収納物の出し入れや確認ができるようにした昇降式収納キャビネットや、（２）収納キャビネット内の収納用ボックスを電動あるいは手動によって上下方向に昇降するようにして収納キャビネットの比較的低い位置で出し入れしたり収納物の確認ができるようにした垂直昇降式収納キャビネットが知られている。
【０００４】
さらには、バフ研磨してその表面を鏡面とした鏡面仕上げステンレス板を収納空間の最上部に位置する天板の内面、又は収納キャビネット内に配設されている棚板の下面に沿って貼り付けて、そのステンレス板に天板、又は棚板の下方の収納空間が写り込むようにした収納キャビネットが知られている（例えば、特許文献１参照。）。
【特許文献１】特開２００２−３４６９２号公報
【発明の開示】
【発明が解決しようとする課題】
【０００５】
前述の（１）昇降式収納キャビネットや、（２）垂直昇降式収納キャビネットには以下のような問題点がある。
【０００６】
収納キャビネット内に配置されている内箱を前面に引き下げたり、収納用ボックスを電動あるいは手動によって上下方向に昇降させるといった可動装置は大掛かりであり、設置コストがかかってしまう。また収納キャビネット内部の奥の方の収納物を確認する前に、可動装置を動かさなければならないといった無駄な動作を強いられることになる。
【０００７】
つぎに特許文献１の収納キャビネットには以下のような問題点がある。
【０００８】
１つに奥行きがある収納キャビネットの場合、収納空間の奥まで光が届かず、暗いことが多い。このような場合、天板の内面や棚板の下面に平行に沿って設けられたステンレス材に収納物が写り込んだとしても、奥のステンレス板に写った収納物を見極めることは困難である。収納空間内部に光源となる照明器具を取付ければこの問題は解決するが、設置や維持のコストが大幅にかかってしまう。
【０００９】
また、ステンレス板は天板の内面や棚板の下面に沿って平行に貼りつけられているので、収納キャビネットの収納物の高さが、使用する人の目線の高さより高い位置にある場合には、奥の収納物を確認するために必要以上に顔を上に向けて、目線を上方に上げなければならず、無理な動作を強いられることになる。
【００１０】
本発明の収納キャビネットは上記事項に鑑みてなしたもので、その目的とするところは、自分の目線より高い位置で収納キャビネット内部の奥の方に収納されている収納物を確認するにあたり、確認のために行う動作の負担を軽減することができて、明確に確認できる収納キャビネットを提供することにある。
【課題を解決するための手段】
【００１１】
請求項１に係る発明の収納キャビネットは、物が収納される収納空間内の上方に、鏡面材を配置した収納キャビネットであって、前記鏡面材が収納空間の奥側が下に、手前側が上になるように傾斜して配置されていて、前記鏡面材の少なくとも下面が収納空間内の収納物を写す鏡面とされていることを特徴としている。
【００１２】
請求項２に係る発明の収納キャビネットは、前記鏡面材を傾斜して配置する支持部材が設けられていて、前記支持部材が、前記鏡面材の傾斜角度を所望の位置に固定する傾斜角度調節機構を有していることを特徴としている。
【００１３】
請求項３に係る発明の収納キャビネットは、扉を備え、前記鏡面材が収納空間内の上方において、略水平な位置から、収納空間の奥側が下に手前側が上になるように傾斜した位置まで移動するように支持されており、前記扉には収納空間側に突き出した凸状部材が設けられていて、前記扉を閉めることにより前記凸状部材が前記鏡面材を押し上げて、前記鏡面材が略水平な位置で固定されて、前記扉を開けることによって前記鏡面材が収納空間の奥側が下に手前側が上になるように傾斜した位置で固定されることを特徴としている。
【００１４】
ここで略水平とは、収納キャビネットの設置面に対して概ね水平という意味である。
【発明の効果】
【００１５】
請求項１に係る発明の収納キャビネットによれば、収納空間上方に設けられた鏡面材が収納空間の奥側が下に、手前側が上になるように傾斜して支持されていることから、収納キャビネット内の鏡面材にが届き易く、明りで照らされた明るい鏡面材により奥の収納物が明確に確認できる。また鏡面材が傾斜して設けられていることにより、天板の内面や棚板の下面に沿って平行に鏡面材を取付けた時よりも、必要以上に自分の顔を上げたり、目線を上方に上げる動作を少なくすることができて、人間の動作の負担を軽減することができる。さらに収納キャビネット内に配置されている内箱を前面に引き下げたり、収納用ボックスを電動あるいは手動によって上下方向に昇降させるといった大掛かりな可動装置が必要なく、設置コストの削減になる。
【００１６】
請求項２に係る発明の収納キャビネットによれば、鏡面材を傾斜して配置する支持部材が、鏡面材の傾斜角度を所望の位置に固定する傾斜角度調節機構を有していることによって、収納空間の高さや、人間の背の高さによって収納キャビネットの奥に収納されている収納物を自分が確認しやすい角度に調節することができる。
【００１７】
収納キャビネットの扉が閉まっている場合に、収納空間内の上方に設けられた鏡面材が傾斜したままであると、扉の開け閉めや他の外的要因によって起こる振動により、鏡面材に接触する程近くて高さのある収納物が振動して、鏡面材に傷がついたり破損してしまうことがある。請求項３に係る発明の収納キャビネットによれば、扉を閉めることにより凸状部材が鏡面材を押し上げて、略水平な位置で固定されることによって、扉が閉まっている時に、収納空間に収納されている収納物と鏡面材との距離を離すことができて、収納物の振動による鏡面材の損傷を防ぐことができる。
【発明を実施するための最良の形態】
【００１８】
以下、本発明を実施形態に基づいて説明する。
【００１９】
図１は鏡面材を傾斜して取付けた本発明の収納キャビネットの斜視図である。
【００２０】
図２、３は本発明の他の実施形態による収納キャビネットの使用状況を示す断面図である。
【００２１】
図４は本発明の他の実施形態における凸状部材の斜視図である。
【００２２】
なお、図２、３における手前とは収納キャビネットにおける右側を、奥とは同左側をいう。また、図１，２，３の鏡面材２における表とは下側を、裏とは上側をいう。
【００２３】
（実施形態１）
図１に例示したように、収納キャビネットの収納空間１の内面上方に、鏡面材２を収納空間１の奥が下に、手前が上になるように傾斜させて配置して、鏡面材２の少なくとも下面が収納空間１内の収納物を写す鏡面とされている収納キャビネットである。
【００２４】
鏡面材２となる板材は鏡板を用いてもよいが、ステンレス板（例えばＳＵＳ３０４等）をバフ研磨し、鏡面としたものを公知の貼り付け手段を利用して板材（例えばパーティクルボード等）に貼り付けてもよい。
【００２５】
鏡面材２は、例えば長方形や正方形が望ましいが、収納空間１の奥に収納されている収納物３が確認できる形状であれば形状は問わない。
【００２６】
また、鏡面材２の傾斜角度４は収納空間１に十分に収納物３が収納できるスペースを持つことができて、鏡面材２に写し出された収納物３を容易に確認できる角度であれば、収納空間１の高さ５や奥行き６に応じて適宜決定すればよい。
【００２７】
（実施形態２）
図２に例示したように、傾斜角度調節機構を有する鏡面材２を取り付けた収納キャビネットである。
【００２８】
収納キャビネットの収納空間１の手前側における、天板の内面、又は棚板の下面と、収納空間１の手前側における鏡面材２の上側となる側端とを接続する接続具として、回転可能な回転取付け具７（例えば板丁番等）を用いる。
【００２９】
一方、収納空間１における鏡面材２の下側となる側端は、鎖状接続具８（傾斜角度調節機構）を用いて傾斜角度を固定する。この鎖状接続具８の末端は収納空間１の奥側の上方に配設されている天板の内面、又は棚板の下面に、公知の固定手段を利用して取付けた補助接続具９で繋ぎ止める。鎖状接続具８の他方の末端は、収納空間１の奥側における鏡面材２の下側となる側端にあたる任意の位置に公知の固定手段を利用して取付けた補助接続具９で繋ぎ止める。
【００３０】
鏡面材２の傾斜角度４の調節は、鎖状接続具８の任意の輪に補助接続具９を繋いで行う。人間の目線の位置が鏡面材２を見上げなければいけない高さを有している時（図２（ａ））には、傾斜角度４を小さくし、人間の目線の位置が鏡面材２と略同一の高さを有している時（図２（ｂ））には鏡面材２の傾斜角度４を大きくして、なるべく人間の目線を移行する動作を少なくして、容易に収納空間１の奥の収納物３が確認できるようにする。
【００３１】
（実施形態３）
実施形態２の傾斜角度調節機構を有する鏡面材２を取り付けた収納キャビネットにおいて、図３に例示したように、扉１１に凸状部材１２を公知の固定手段を利用して取付けて、扉１１を閉めた時には凸状部材１２が鏡面材２を押し上げて、鏡面材２が収納空間１の上方の天板の内面、又は棚板の下面と沿うように略水平に固定されて（図３（ａ））、扉１１を開けた時には凸状部材１２が鏡面材２から離れて、鏡面材２が再び傾斜を持つようになる（図３（ｂ））収納キャビネットである。
【００３２】
凸状部材１２の形状は、扉１１をスムーズに開閉できるようなものであって、図３に例示した凸状部材１２を上から見た状態で、図４に例示したような扇形の形状を有しているのがよい。しかし、扉１１が開閉できる程度の大きさであれば、その形状は問わない。
【００３３】
凸状部材１２としては鏡面材２を押し上げることができる硬度を持っていて、鏡面材２の表面を傷つけない材料（例えば木質系材料）を用いるとよい。凸状部材１２の収納空間１側の先端１２ａ（図３（ａ）、図４）は鏡面材２を押し上げる際に、鏡面材２と接触する場所であり、鋭く尖っていると鏡面材２の表面を傷つけてしまう恐れがあるため、Ｒ状に加工して、鏡面材２を滑らかに押し上げることができるようにするのがよい。
【図面の簡単な説明】
【００３４】
【図１】本発明の収納キャビネットの斜視図である。
【図２】同上の収納キャビネットの実施形態であって、（ａ）は下方から確認する場合の断面図であって、（ｂ）は略水平の位置から確認する場合の断面図である。
【図３】同上の収納キャビネットの他の実施形態であって、（ａ）は扉を開いたときの断面図であって、（ｂ）は扉を閉じた時の断面図である。
【図４】同上の収納キャビネットの扉に配置する凸状部材の斜視図である。
【符号の説明】
【００３５】
１．収納空間
２．鏡面材
３．収納物
４．傾斜角度
８．鎖状接続具（傾斜角度調節機構）
１０．使用者
１１．扉
１２．凸状部材
【図１】
2005111111.tif 000003
【図２】
2005111111.tif 000004
【図３】
2005111111.tif 000005
【図４】
2005111111.tif 000006